(57)【特許請求の範囲】
【請求項１】
机上に載置可能な台座と、前記台座に結合されるパネル部と、を具備するパネル型装置の支持機構であって、
前記パネル部の下縁に切欠部が形成されるとともに、前記パネル部の背面には前記切欠部から連続して前記パネル部の中央方向に延びる凹部が形成され、
前記台座は、前記切欠部にチルトヒンジを介して回動自在に取り付けられ、机上載置状態にあっては前記パネル部に対し任意の仰角で保持され、
前記パネル部を後方一杯まで倒すと、前記台座の後半部が前記パネル部の凹部に収納されて、前記パネル部の背面と前記台座の底面とが略同一平面をなす壁掛け状態となり、
前記パネル部の凹部には前記壁掛け状態において壁掛け金具をネジ止めするためのネジ孔が形成されるとともに、前記台座の後半部には前記凹部に収納されたとき前記ネジ孔に一致する位置にネジ挿通孔が形成されたことを特徴とするパネル型装置の支持機構。
【請求項２】
机上に載置可能な台座と、前記台座に結合されるパネル部と、を具備するパネル型装置の支持機構であって、
前記パネル部の下縁に切欠部が形成されるとともに、前記パネル部の背面には前記切欠部から連続して前記パネル部の中央方向に延びる凹部が形成され、
前記台座は、前記切欠部にチルトヒンジを介して回動自在に取り付けられ、机上載置状態にあっては前記パネル部に対し任意の仰角で保持され、
前記パネル部を後方一杯まで倒すと、前記台座の後半部が前記パネル部の凹部に収納されて、前記パネル部の背面と前記台座の底面とが略同一平面をなす壁掛け状態となり、
前記台座の上面における前記チルトヒンジよりも前方寄りの部分には、前記パネル部を操作するためのキーパッドが配置されて、このキーパッドが前記机上載置状態及び壁掛け状態のいずれにおいても前記パネル部の正面側に臨むことを特徴とするパネル型装置の支持機構。
【請求項３】
台座の前面には上面側よりも底面側がせりだすような傾斜部が形成され、この傾斜部に、パネル部をリモコン操作するためのリモコン受信部が配置されたことを特徴とする請求項１又は２に記載のパネル型装置の支持機構。
【発明の詳細な説明】
【０００１】
【発明の属する技術分野】
本発明は、チルトヒンジ機構を備えた台座により支持されるパネル型装置の支持機構に関する。
【０００２】
【従来の技術】
従来、平面ディスプレイをはじめとするパネル型装置の多くは、特開２０００−１２２５６１号公報（「薄型表示装置のチルト機構」）に開示されているように、支柱の付いた台座の支柱上端部とパネル部の背面とがチルトヒンジを介して結合された形態を有していた。これは、机上や卓上に載置して使用することを前提とした形態で、パネル部の重量を支持する必要から、支柱とパネル部とは数本のネジによって結合されていた。
【０００３】
【発明が解決しようとする課題】
前記従来のような形態のパネル型装置は、壁掛け状態で使用される場合もある。その場合は、パネル部を台座の支柱から取り外して、パネル部の背面に壁掛け金具を取り付けるようになっていた。その際、パネル部の背面と支柱とを結合するネジを外した後、パネル部と壁掛け金具とをネジ止めする必要があった。反対に、壁掛け状態から机上載置状態に戻す場合にも、パネル部と壁掛け金具とを結合するネジを外した後、パネル部と台座の支柱とをネジ止めする必要があった。これらの作業は、ネジの付け外しが煩雑であるばかりでなく、重いパネル部や台座をしかるべき姿勢に手で支えながら行わなければならないという困難性を伴うものでもあった。
【０００４】
本発明はこのような事情に鑑みてなされたもので、その解決課題は、困難なネジの付け外しを伴わずとも、使用形態を机上載置状態、壁掛け状態のいずれにも簡単に切り換えることができるようにしたパネル型装置の支持機構を提供することにある。
【０００５】
【課題を解決するための手段】
前記課題を解決するため、本発明のパネル型装置の支持機構は、机上に載置可能な台座と、前記台座に結合されるパネル部と、を具備するパネル型装置の支持機構であって、前記パネル部の下縁に切欠部が形成されるとともに、前記パネル部の背面には前記切欠部から連続して前記パネル部の中央方向に延びる凹部が形成され、前記台座は、前記切欠部にチルトヒンジを介して回動自在に取り付けられ、机上載置状態にあっては前記パネル部に対し任意の仰角で保持され、前記パネル部を後方一杯まで倒すと、前記台座の後半部が前記パネル部の凹部に収納されて、前記パネル部の背面と前記台座の底面とが略同一平面をなす壁掛け状態となることを特徴としている。この構成によれば、机上に載置した台座に対してパネル部を前方に立ち上げることにより、パネル部がチルトヒンジによって所望の角度に保持されるので、パネル型装置を机上載置状態で使用することができる。また、パネル部を後方一杯まで倒すと、台座収納部に台座が収納されてパネル部の背面と台座の底面とが略同一平面になるので、ここに壁掛け金具等を取り付ければ、台座をパネル部に取り付けたまま、パネル型装置を壁掛け状態で使用することができる。したがって、パネル部と台座とをネジで煩雑に付け外しする必要がなくなり、使い勝手が向上する。
【０００６】
さらに、本発明のパネル型装置の支持機構は、前記パネル部の凹部には前記壁掛け状態において壁掛け金具をネジ止めするためのネジ孔が形成されるとともに、前記台座の後半部には前記凹部に収納されたとき前記ネジ孔に一致する位置にネジ挿通孔が形成されたことを特徴としている。この構成によれば、パネル部を後方に倒して台座収納部に台座を収納した状態、つまり壁掛け状態で使用するときに、台座収納部に形成されたネジ孔と台座の後半部に形成されたネジ挿通孔とが一致する。そのため、このネジ孔及びネジ挿通孔を利用して壁掛け金具をネジ止めすれば、パネル部、台座及び壁掛け金具が一体に固定される。このように、壁掛け金具をパネル部に取り付けるためのネジと、台座をパネル部に固定するためのネジを共締めできるようにすることで、台座をパネル部に対して固定するための独自の手段、例えば別のネジやロック機構などを省くことができる。
【０００７】
また、本発明のパネル型装置の支持機構は、前記台座の上面における前記チルトヒンジよりも前方寄りの部分に、前記パネル部を操作するためのキーパッドが配置されて、このキーパッドが前記机上載置状態及び壁掛け状態のいずれにおいても前記パネル部の正面側に臨むことを特徴としている。パネル部を操作するためのキーパッドとは、例えばパネル部が平面ディスプレイ装置である場合、ディスプレイの電源スイッチ、輝度やコントラスト等を調整するための各種スイッチ等を包む。この構成によれば、台座の上面に配置されたキーパッドが、机上載置状態では上を向き、壁掛け状態では正面を向くので、どちらの場合も良好な操作性が得られる。
【０００８】
また、本発明のパネル型装置の支持機構は、前記の構成に加えて、台座の前面には上面側よりも底面側がせりだすような傾斜部が形成され、この傾斜部に、パネル部をリモコン操作するためのリモコン受信部が配置されるのが好ましい。リモコン受信部とは、例えば赤外線リモコンの受光部をはじめとして、これに類するその他一般のセンサや受信装置を含む。この構成によれば、台座の前面に配置されたリモコン受信部が、机上載置状態では前方斜め上向きになり、壁掛け状態では前方斜め下向きになるので、どちらの場合もリモコン信号を受信しやすくなる。
【０００９】
【発明の実施の形態】
以下、本発明の実施の形態について、図面を参照しつつ説明する。
【００１０】
図１〜図４は本発明の実施の形態に係るパネル型装置１の外観図で、図１〜図２は机上載置状態で使用するときの形態を示し、図３〜図４は壁掛け状態で使用するときの形態をそれぞれ示している。また、図５〜図６は前記パネル型装置１の側面図で、図５は机上載置状態、図６は壁掛け状態をそれぞれ示している。図７〜図１０は前記パネル型装置１の使用状態を示す説明図で、図７〜図８は机上載置状態、図９〜図１０は壁掛け状態をそれぞれ示している。
【００１１】
このパネル型装置１は、別体に形成されたパネル部２と台座３とを備える。パネル部２は正面視略矩形の平板形状をなし、背面よりも正面のほうが大きくなるように、四周側面にテーパが設けられている。パネル部２の下縁には切欠部２１が形成されて、この切欠部２１に台座３が取り付けられている。パネル部２と台座３とはチルトヒンジ４を介して回動自在に結合されており、パネル部２の下縁に平行な回動軸を中心にして互いに回動する。これによりパネル部２は、台座３に対して一定の角度範囲内で仰角を変化させ、任意の仰角で保持される。
【００１２】
パネル型装置１の機能については特に限定されるものではないが、ここでは、このパネル型装置１が液晶表示ユニット５１（ＬＣＤ）を備えた平面ディスプレイである場合を例にとり、その概略構成を図１１〜図１２に示す。
【００１３】
パネル部２には、液晶表示ユニット５１及び制御回路ユニット５２が組み込まれている。一方、台座３には、内部に電源制御部５３、上面に複数個のキーパッド５４、前面の傾斜部３１１に赤外線リモコンの受光部５５が設けられている。電源制御部５３、キーパッド５４及び受光部５５は、チルトヒンジ４の内部を経由するケーブル５６を介して、それぞれ制御回路ユニット５２に接続されている。パーソナルコンピュータ（ＰＣ）等から映像信号を入力するためのビデオコネクタ５７は制御回路ユニット５２に実装されており、パネル部２の側方にポートが設けられている。ＡＣインレット５８はパネル部２の背面下部に設けられ、ケーブル５６を介して電源制御部５３に接続されている。キーパッド５４は、液晶表示ユニット５１の輝度やコントラスト、色調等を調整するためのキーや、その他の各種設定を変更するためのメニューキー、選択キー、電源キーなどから構成されている。赤外線リモコンの受光部５５は、前記キーパッド５４による操作と同様の操作をリモコン端末６（図８，図１０参照）から行えるように設けられている。
【００１４】
本発明のパネル型装置１の支持機構は、パネル部２及び台座３の形状によって特徴づけられる。図１〜図６に示すように、台座３の前半部３１は、前後方向の縦断面が台形状となるように形成されている。この前半部３１の高さは、パネル部２の厚さと略同寸になっている。また、台座３の後半部３２は薄い平板状に形成されている。この後半部３２は、パネル部２を台座３に対して後傾させたときにパネル部２の重量を支持する部分となる。台座３の底面の前後方向の長さはパネル部２の高さの概ね半分程度であり、台座３の幅はパネル部２の幅の概ね半分程度になっている。
【００１５】
一方、パネル部２の下縁には前記した切欠部２１が設けられており、この切欠部２１に台座３の前半部３１がほぼ同じ幅で収まるように取り付けられている。切欠部２１の内奥面は、図５〜図６に示すように、パネル部２の正面側から背面側に向かって後退するように傾斜しており、パネル部２を台座３に対し後方一杯まで倒すと、この内奥面が台座３の前半部３１の後側斜面とほぼ一致するように近接する。パネル部２の背面には、さらに切欠部２１から連続してパネル部２の中央方向に延びる浅い凹部２２が形成されている。この凹部２２の幅、長さ及び深さは、台座３の後半部３２の幅、長さ及び厚さにそれぞれ対応している。そして、これら切欠部２１及び凹部２２によって、台座収納部２３が構成される。
【００１６】
つまり、この台座収納部２３は、パネル部２を後方一杯（図５におけるＢの位置）まで倒したときに台座３がちょうど収納される部分となる。このとき、パネル部２の背面と台座３の底面とは段差のない略同一の平面になり、パネル型装置１は全体としてパネル部２の厚さと同じ厚さの平板形状になる。ただし、台座３の前半部３１の一部だけは、パネル部２の下縁からパネル部２の下方（台座３の前方）に向かって突出することとなる。
【００１７】
パネル部２の背面には、壁掛け金具７をネジ止めするためのネジ孔２４が形成されている。この例では、ネジ孔２４は４個あり、そのうち下側の２個が台座収納部２３の凹部２２に配置されている。また、台座３の後半部３２には、２個のネジ挿通孔３３が形成されている。これらのネジ挿通孔３３は、パネル部２を後方に倒して台座収納部２３に台座３を収納したときに、パネル部２のネジ孔２４に一致して共締めできるように配置されている。例示した４個のネジ孔２４は、その寸法と配置がＶＥＳＡ  ＦＰＭＰＭＩ規格に準拠しており、これらのネジ孔２４を利用して、同規格準拠の壁掛け金具７やアーム等をネジ止めすることができる。
【００１８】
このパネル型装置１を壁掛け状態で使用するには、まず、パネル部２を後方一杯（図５におけるＢの位置）まで倒してパネル部２と台座３とを平坦にする。そして、図３に示すように、パネル部２の背面に壁掛け金具７をあてがい、ネジで固定する。このとき、台座３もパネル部２の台座収納部２３に収納されているので、下側２本のネジによって台座３がパネル部２に共締めされて固定される。そして、パネル部２の背面に取り付けられた壁掛け金具７を、壁面等に固定されたフック部材８等に引っ掛けることにより、本パネル型装置１を壁掛け状態で設置することができる。
【００１９】
このパネル型装置１では、操作のためのキーパッド５４や赤外線リモコンの受光部５５が台座３に設けられているが、これらも、机上載置状態、壁掛け状態のどちらでも使い勝手が良くなるように配置されている。
【００２０】
すなわち、机上設置状態では通常、図７〜図８に示すように、机上に載置されたパネル型装置１が、椅子に座った使用者のほぼ胸の高さに位置する。このとき、台座３の上面に配置されたキーパッド５４は上を向くので、使用者はごく自然な姿勢でキーパッド５４を押すことができる。なお、キーパッド５４を台座３の上面におけるチルトヒンジ４よりも前方寄りの部分に配置すれば、キーパッド５４の視認性や操作性をさらに高めることができる。また、机上設置状態で使用者がリモコン端末６を手にした場合、リモコン端末６は通常、机上面よりもやや高い位置に保持される。このとき、台座３の前面の傾斜部３１１に配置された赤外線リモコンの受光部５５は前方斜め上向きになるので、リモコン信号を無理なく受信することができる。
【００２１】
一方、壁掛け状態では通常、図９〜図１０に示すように、パネル型装置１は、使用者の目の高さとほぼ同じか、あるいは多人数が同時に見ることを想定して目の高さよりもやや高い位置に取り付けられる。このとき、台座３の上面に配置されたキーパッド５４は正面を向くので、使用者はごく自然な姿勢でキーパッド５４を押すことができる。また、使用者がリモコン端末６を手にした場合、リモコン端末６は通常、目の高さよりもやや低い位置に保持される。このとき、台座３の前面の傾斜部３１１に配置された赤外線リモコンの受光部５５は前方斜め下向きになるので、この場合もリモコン信号を無理なく受信することができる。
【００２２】
【発明の効果】
本発明のパネル型装置の支持機構は、パネル部の下縁に台座がチルトヒンジを介して結合されるとともに、パネル部の背面の略下半部に台座収納部が形成されて、パネル部を後方一杯まで倒すと台座収納部に台座が収納され、パネル部の背面と台座の底面とが略同一平面をなすように形成されているので、机上載置状態から壁掛け状態に変更するには、パネル部を後方に倒してパネル部の背面と台座の底面とを略同一平面にし、ここに壁掛け金具を取り付けるだけでよい。反対に、壁掛け状態から机上載置状態に変更するには、パネル部の背面から壁掛け金具を外して、パネル部を台座から立ち上げるだけでよい。そのため、パネル部と台座とをネジで煩雑に付け外しするような組み立て作業が不要になり、使い勝手が格段に向上する。
【００２３】
また、本発明のパネル型装置の支持機構は、台座の上面におけるチルトヒンジよりも前方寄りの部分に、パネル部を操作するためのキーパッドが配置されているので、パネル型装置の机上載置状態や壁掛け状態でも、パネル型装置の各種操作や調整などが良好に行える。
【００２４】
また、本発明のパネル型装置の支持機構は、台座の前面に、上面側よりも底面側がせりだすような傾斜部が形成されており、この傾斜部にパネル部を操作するためのリモコン受信部が配置されているので、パネル型装置の机上載置状態や壁掛け状態でも、リモコンからのパネル型装置の各種操作や調整などが良好に行える。
【図面の簡単な説明】
【図１】本発明の実施の形態に係るパネル型装置を机上載置状態で使用するときの背面側外観図である。
【図２】図１に示したパネル型装置（机上載置状態）の正面側外観図である。
【図３】前記パネル型装置を壁掛け状態で使用するときの背面側外観図である。
【図４】図３に示したパネル型装置（壁掛け状態）の正面側外観図である。
【図５】図１に示したパネル型装置（机上載置状態）の側面図である。
【図６】図３に示したパネル型装置（壁掛け状態）の側面図である。
【図７】パネル型装置を机上に載置してキーパッドを操作するときの使用状態説明図である。
【図８】パネル型装置を机上に載置してリモコンを操作するときの使用状態説明図である。
【図９】パネル型装置を壁に掛けてキーパッドを操作するときの使用状態説明図である。
【図１０】パネル型装置を壁に掛けてリモコンを操作するときの使用状態説明図である。
【図１１】パネル型装置の機能的構成を例示した構成物配置図である。
【図１２】パネル型装置の機能的構成を例示したブロック図である。
【符号の説明】
１      パネル型装置
２      パネル部
２３    台座収納部
２４    ネジ孔
３      台座
３１１  傾斜部
３３    ネジ挿通孔
４      チルトヒンジ
５４    キーパッド
５５    受光部（リモコン受信部）
７      壁掛け金具
【図１】
0004799742.tif 000002
【図２】
0004799742.tif 000003
【図３】
0004799742.tif 000004
【図４】
0004799742.tif 000005
【図５】
0004799742.tif 000006
【図６】
0004799742.tif 000007
【図７】
0004799742.tif 000008
【図８】
0004799742.tif 000009
【図９】
0004799742.tif 000010
【図１０】
0004799742.tif 000011
【図１１】
0004799742.tif 000012
【図１２】
0004799742.tif 000013